(57)【要約】【課題】  飲料容器などを保温・保冷状態で一時的にストックしておくことができると共に、ティッシュボックスを有効に収容すると共に、ティッシュ片を容易に取出し得るようにする。【解決手段】  収納ボックス本体３と、収納ボックス本体３に開閉自在に取付けられたリッド４とを備え、収納ボックス本体３が、温冷風７を内部へ取入可能な温冷風取入口８を有し、リッド４が内部にティッシュボックス１５を収容可能なティッシュボックス収容空間１６を有すると共に、リッド４の手前面側にティッシュボックス１５に内蔵されたティッシュ片３１を取出可能なティッシュ片取出口３２，３３を有するようにしている。【選択図】        図１
2006082595.tif 000002
【特許請求の範囲】
【請求項１】
収納ボックス本体と、該収納ボックス本体に開閉自在に取付けられたリッドとを備え、
前記収納ボックス本体が、温冷風を内部へ取入可能な温冷風取入口を有し、
前記リッドが内部にティッシュボックスを収容可能なティッシュボックス収容空間を有すると共に、リッドの手前面側にティッシュボックスに内蔵されたティッシュ片を取出可能なティッシュ片取出口を有することを特徴とする車両用収納装置。
【請求項２】
前記温冷風取入口が、温冷風のオン・オフを切替可能な開閉弁機構を備えたことを特徴とする請求項１記載の車両用収納装置。
【請求項３】
ティッシュ片取出口が、開閉可能な小蓋体を備えたことを特徴とする請求項１記載の車両用収納装置。
【発明の詳細な説明】
【技術分野】
【０００１】
この発明は、車両用収納装置に関するものである。
【背景技術】
【０００２】
自動車などの車両には、車室内にカップホルダーが備えられている。また、上記車室内には、グローブボックスなどの収納装置が備えられている（例えば、特許文献１参照）。
【特許文献１】特開平７−１１２６４３号公報
【発明の開示】
【発明が解決しようとする課題】
【０００３】
しかしながら、上記グローブボックスは、通常、小物などを収納するためのものであり、例えば、乗車時に乗員が車内へ持込んた飲料容器のうちカップホルダーに保持しきれなかったものを保温・保冷状態で一時的にストックしておく機能を備えてはいなかった。また、車室内にはティッシュボックスが置かれて使用に供されることが多いが、ティッシュボックスは嵩ばるため、邪魔にならずに設置することが困難であった。
【課題を解決するための手段】
【０００４】
上記課題を解決するために、請求項１に記載された発明では、収納ボックス本体と、該収納ボックス本体に開閉自在に取付けられたリッドとを備え、前記収納ボックス本体が、温冷風を内部へ取入可能な温冷風取入口を有し、前記リッドが内部にティッシュボックスを収容可能なティッシュボックス収容空間を有すると共に、リッドの手前面側にティッシュボックスに内蔵されたティッシュ片を取出可能なティッシュ片取出口を有する車両用収納装置を特徴としている。
【０００５】
請求項２に記載された発明では、前記温冷風取入口が、温冷風のオン・オフを切替可能な開閉弁機構を備えた請求項１記載の車両用収納装置を特徴としている。
【０００６】
請求項３に記載された発明では、ティッシュ片取出口が、開閉可能な小蓋体を備えた請求項１記載の車両用収納装置を特徴としている。
【発明の効果】
【０００７】
請求項１の発明によれば、温冷風取入口から収納ボックス本体の内部へ温冷風を取入れることにより、余剰の飲料容器などを保温・保冷状態で一時的にストックしておくようなことが可能となる。また、リッド内部に設けたティッシュボックス収容空間に対し、外からは見えず邪魔にならない状態でティッシュボックスを有効に収容することが可能である。しかも、リッドの手前面側にティッシュ片取出口があるため、リッドを開けずにティッシュ片を容易に取出すことが可能で、使い勝手が優れている。しかも、保温・保冷庫としての機能と、ティッシュ機能とを、合理的に共存させることができる。
【０００８】
請求項２の発明によれば、開閉弁機構を切替えて温冷風取入口からの温冷風の取入れをオンにすると、保温・保冷庫として機能させることが可能となり、開閉弁機構を切替えて温冷風取入口からの温冷風の取入れをオフにすると、通常のグローブボックスなどと同様に使用することが可能となる。
【０００９】
請求項３の発明によれば、小蓋体を開くことによりティッシュ片取出口が出現してティッシュ片を取出すことが可能となり、小蓋体を閉じることによりティッシュ片取出口を隠して見栄えを向上することが可能となる。
【発明を実施するための最良の形態】
【００１０】
飲料容器などを保温・保冷状態で一時的にストックしておくことができると共に、ティッシュボックスを有効に収容すると共に、ティッシュ片を容易に取出し得るようにするという目的を、収納ボックス本体と、収納ボックス本体に開閉自在に取付けられたリッドとを備え、収納ボックス本体が、温冷風を内部へ取入可能な温冷風取入口を有し、リッドが内部にティッシュボックスを収容可能なティッシュボックス収容空間を有すると共に、リッドの手前面側にティッシュボックスに内蔵されたティッシュ片を取出可能なティッシュ片取出口を有するようにする、という手段で実現した。
【実施例】
【００１１】
以下、本発明を具体化した実施例について、図示例と共に説明する。
【００１２】
図１〜図６は、この発明の実施例を示すものである。
【００１３】
まず、構成を説明すると、図１、図２に示すように、自動車などの車両には、車室内にインストルメントパネルなどの内装パネル１が設けられている。この内装パネル１に対し、この実施例にかかる収納装置２を設置する。
【００１４】
この収納装置２は、収納ボックス本体３と、この収納ボックス本体３に開閉自在に取付けられたリッド４とを備えている。リッド４は、例えば、下側にヒンジを設定することにより収納ボックス本体３に対して下開きするようにする（図６参照）。
【００１５】
収納ボックス本体３は、例えば、ペットボトルなどの飲料容器６を横にした状態で１〜３本程度収容可能な容積を有するものとする。この収納ボックス本体３に、温冷風７を内部へ取入可能な温冷風取入口８を設ける。この温冷風取入口８は、収納ボックス本体３の一側部に設ける。そして、この温冷風取入口８に空調装置からのダクト９を接続する。また、収納ボックス本体３の他側部に、風出口１０を設ける。この風出口１０は、例えば、複数条のスリットなどとする。
【００１６】
一方、リッド４に対し、内部にティッシュボックス１５を収容可能なティッシュボックス収容空間１６を設ける。ここで、リッド４は、意匠面を構成するリッドアウター部材１７と、リッドアウター部材１７の裏面側に取付けられる補強用などのリッドインナー部材１８とで構成される。そして、先ず、リッドアウター部材１７とリッドインナー部材１８との間に、ティッシュボックス１５が納まる大きさ以上の空間１９を形成する。次に、リッドインナー部材１８の略中央部にティッシュボックス１５の形状に略合致して上記の空間１９側へ凹む凹部２０を形成し、この凹部２０に裏蓋２１を取付けられるようにして、凹部２０と裏蓋２１とにより裏面側からティッシュボックス１５を着脱可能なティッシュボックス収容空間１６をリッド４に形成する。なお、裏蓋２１は、下辺に弾接爪部２２を設け、上辺に固定爪２３を設けて、ワンタッチで凹部２０で凹部２０に着脱し得るようにする。また、リッドインナー部材１８と裏蓋２１とには、必要に応じて、上記空間１９とティッシュボックス収容空間１６に対する温冷風取入用の通気口２４，２５を設けても良い。
【００１７】
そして、リッド４の手前面側にティッシュボックス１５に内蔵されたティッシュ片３１を取出可能なティッシュ片取出口３２，３３を設ける。ティッシュ片取出口３２，３３は、リッドアウター部材１７とリッドインナー部材１８の凹部２０とにおける、ティッシュボックス１５の取出口３４と対応する位置にそれぞれ設ける。なお、リッドインナー部材１８のティッシュ片取出口３３の近傍に、ティッシュボックス１５内へ温冷風７を導入可能な温冷風導入口３６を設けても良い。
【００１８】
更に、温冷風取入口８に、温冷風７のオン・オフを切替可能な開閉弁機構４１を設ける。この開閉弁機構４１は、例えば、図３〜図５に示すように、温冷風取入口８の内側に突設された筒状壁４２に対して回動可能に被着されるキャップ状のダイヤルなどとする。このキャップ状の開閉弁機構４１には、合せ孔４３が形成されており、開閉弁機構４１を手動操作で回動させて、図４に示すように、合せ孔４３を温冷風取入口８と合致させると温冷風７がオンとなり、図５に示すように、合せ孔４３を温冷風取入口８から外すと温冷風７がオフとなるように構成する。
【００１９】
また、図１に示すように、リッドアウター部材１７のティッシュ片取出口３２に、開閉可能な小蓋体４７を設ける。この小蓋体４７は、例えば、上側にヒンジ４８を設定することにより、ティッシュ片取出口３２に対して上開きするようにする。この小蓋体４７は、リッドアウター部材１７と面一となるよう構成する。この小蓋体４７は、コイルバネなどの付勢機構４９によって常閉方向へ付勢しておくようにする。付勢機構４９はヒンジ４８の周辺に設置する。
【００２０】
次に、この実施例の作用について説明する。
【００２１】
図６に示すように、収納ボックス本体３に対してリッド４を下開きに開き、リッドインナー部材１８の凹部２０から裏蓋２１を取外し、取出口３４を下へ向けた状態でリッド４の裏面側から凹部２０へティッシュボックス１５を挿着し、裏蓋２１を取付けることにより、リッド４内部のティッシュボックス収容空間１６の部分にティッシュボックス１５が収容される。
【００２２】
ティッシュ片３１を取出すには、図１に示すように、収納ボックス本体３に対してリッド４が閉じた状態で、小蓋体４７をコイルバネなどの付勢機構４９の付勢力に抗して上開きに開き、出現したティッシュ片取出口３２，３３を介してティッシュボックス１５の取出口３４からティッシュ片３１を摘み出すようにする。その後、小蓋体４７を放すとコイルバネなどの付勢機構４９の付勢力によって小蓋体４７はリッドアウター部材１７と面一状態に閉じ、ティッシュ片取出口３２，３３および次に引出されるティッシュ片３１は隠される。
【００２３】
また、収納ボックス本体３に対してリッド４を下開きに開くことにより、収納ボックス本体３への物の出し入れが可能となる。この時、図５に示すように、開閉弁機構４１はオフにしておく。
【００２４】
そして、ペットボトルなどの飲料容器６を収納する場合に、図４に示すように、開閉弁機構４１をオンにする。すると、空調装置からの温冷風７が温冷風取入口８を介して内部へ取入れられる。これにより、ペットボトルなどの飲料容器６を保温・保冷状態に保つことができる。また、温冷風取入用の通気口２５を介してティッシュボックス１５の裏面側に温冷風７を当てること、および、温冷風取入用の通気口２４と空間１９を介してティッシュボックス１５の表面側に温冷風７を当てること、更に、温冷風導入口３６を介してティッシュボックス１５内へ温冷風７を導入することができる。これにより、ティッシュボックス１５も保温・保冷状態に保つことができる。
【００２５】
なお、収納ボックス本体３には、飲料容器６に限らず、各種の物を収納して保温・保冷させることができる。例えば、市販のプラスチック製のおしぼり入れなどに濡らしたタオルを入れて収納しておけば、冷たいおしぼりや温かいおしぼりを常時使用することが可能となる。また、アウトドアで遊んで濡れてしまった衣類などを収容して温風を取入れれば、簡易乾燥機として機能させることも可能である。
【００２６】
なお、ティッシュボックス収容空間１６に対し、市販の箱型のウエットティッシュを収容することも可能である。この場合には、ティッシュボックス収容空間１６に取入れられた温冷風７により、ウエットティッシュを冷たいおしぼりや温かいおしぼりとすることができる。
【００２７】
以上延べたように、この実施例によれば、温冷風取入口８から収納ボックス本体３の内部へ温冷風７を取入れることにより、余剰の飲料容器６などを保温・保冷状態で一時的にストックしておくようなことが可能となる。また、リッド４内部に設けたティッシュボックス収容空間１６に対し、外からは見えず邪魔にならない状態でティッシュボックス１５を有効に収容することが可能である。しかも、リッド４の手前面側にティッシュ片取出口３２，３３があるため、リッド４を開けずにティッシュ片３１を容易に取出すことが可能で、使い勝手が優れている。しかも、保温・保冷庫としての機能と、ティッシュ機能とを、合理的に共存させることができる。
【００２８】
また、開閉弁機構４１を切替えて温冷風取入口８からの温冷風７の取入れをオンにすると、保温・保冷庫として機能させることが可能となり、開閉弁機構４１を切替えて温冷風取入口８からの温冷風７の取入れをオフにすると、通常のグローブボックスなどと同様に使用することが可能となる。
【００２９】
更に、小蓋体４７を開くことによりティッシュ片取出口３２，３３が出現してティッシュ片３１を取出すことが可能となり、小蓋体４７を閉じることによりティッシュ片取出口３２，３３を隠して見栄えを向上することが可能となる。
【００３０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３１】
【図１】本発明の実施例の側方断面図である。
【図２】図１の水平断面図である。
【図３】図１の開閉弁機構の斜視図である。
【図４】開閉弁機構の作動状態説明図である。
【図５】開閉弁機構の図４とは異なる作動状態の説明図である。
【図６】図１と同様の作動図である。
【符号の説明】
【００３２】
３    収納ボックス本体
４    リッド
７    温冷風
８    温冷風取入口
１５  ティッシュボックス
１６  ティッシュボックス収容空間
３１  ティッシュ片
３２  ティッシュ片取出口
３３  ティッシュ片取出口
４１  開閉弁機構
４７  小蓋体
【図１】
2006082595.tif 000003
【図２】
2006082595.tif 000004
【図３】
2006082595.tif 000005
【図４】
2006082595.tif 000006
【図５】
2006082595.tif 000007
【図６】
2006082595.tif 000008